Podtech/llm-jp-corpus-v4-ja_patent huggingface dataset:
【手続補正書】
【提出日】平成16年6月1日(2004.6.1)
【手続補正１】
【補正対象書類名】明細書
【補正対象項目名】特許請求の範囲
【補正方法】変更
【補正の内容】
【特許請求の範囲】
【請求項１】
回線入力信号をＡ／Ｄ変換してデジタル回線入力信号を出力するＡ／Ｄコンバータと、
前記Ａ／Ｄコンバータによってデジタルに変換された信号を周波数解析する周波数解析手段と、
デジタルに変換された回線入力信号の種類を判定する中央処理部とを有することを特徴とする電話装置。
【請求項２】
回線入力信号は、ＣＰＣ信号、ベル信号、電話回線の使用状況を示す使用状況信号等を含む請求項１記載の電話装置。
【請求項３】
回線入力信号をＡ／Ｄ変換してデジタル回線入力信号を出力するＡ／Ｄコンバータと、
電話回線の電圧を前記Ａ／Ｄコンバータに入力可能なレベルに落とするための分圧手段と、
前記Ａ／Ｄコンバータによってデジタルに変換された信号の低域成分を通過させる低域通過フィルタと、
デジタルに変換された信号を周波数解析する周波数解析手段と、
前記周波数解析手段による結果に基づいて前記回線入力信号の種類を判定する中央処理部とを有することを特徴とする電話装置。
【請求項４】
低域通過フィルタおよび周波数解析手段は、中央処理部内に作られたデジタル低域通過フィルタおよび高速フーリエ変換器である請求項３記載の電話装置。
【請求項５】
電話回線から入来する交流電圧を整流するための整流手段と、
回線電圧を分圧するための分圧用抵抗器と、
第１のＡ／Ｄコンバータと、
デジタル低域通過フィルタと、
周波数解析のための高速フーリエ変換器とを備え、
電話回線より入来したベル信号は前記整流手段によって整流され、前記分圧用抵抗器によって前記第１のＡ／Ｄコンバータに入力可能な電圧に落とされて前記第１のＡ／Ｄコンバータに入力され、
前記第１のＡ／Ｄコンバータは該ベル信号をデジタルに変換し、
前記デジタル低域通過フィルタは前記第１のＡ／Ｄコンバータより出力されるデジタルベル信号の低域のみを通過させ、
前記高速フーリエ変換器が当該デジタルベル信号の周波数成分を検出し、該検出結果に基づいてベル信号の入来を認識することを特徴とする電話装置。
【請求項６】
電話回線から入来する交流電圧を整流するための整流手段と、
回線補足用のリレー回路と、
回線電圧を分圧するための分圧用抵抗器と、
回線電圧をデジタルに変換する第１のＡ／Ｄコンバータと、
前記分圧用抵抗器によって降下された電圧をデジタルに変換する第２のＡ／Ｄコンバータと、
デジタル低域通過フィルタと、
周波数解析のための高速フーリエ変換器と、
各回路からの信号を処理する中央処理部とを備え、
前記回線補足用のリレー回路が回線を捕捉している状態で、電話回線のTip-Ring間の電圧変化分は前記分圧用抵抗器により降圧されてから第２のＡ／Ｄコンバータに入力され、
前記中央処理部は、前記第２のＡ／Ｄコンバータより出力されるデジタルベル信号に基づいて上記電圧変化を検知して並列に接続された電話装置がオフ・フックされたことを認識し、第１のＡ／Ｄコンバータに入力される電圧レベルが変化した場合、それが並列電話装置がオフ・フックされた場合よりも大きい場合には交換機が発したＣＰＣ信号であると認識することを特徴とする電話装置。
【請求項７】
電話回線から入来する交流電圧を整流するための整流手段と、
第２のＡ／Ｄコンバータと、
デジタル低域通過フィルタと、
周波数解析のための高速フーリエ変換器と、
各回路からの信号を処理する中央処理部とを備え、
回線から入来する音声信号は第２のＡ／Ｄコンバータによりデジタルに変換され、デジタルに変換された信号を前記デジタル低域通過フィルタとを通して前記高速フーリエ変換器り、前記高速フーリエ変換器で高速フーリエ変換し、中央処理部は前記高速フーリエ変換器の解析結果が所定の周波数帯域幅を持った安定したスペクトルである場合には終話音が入力したことを認識することを特徴とする電話装置。
【請求項８】
中央処理部は前記高速フーリエ変換器の解析結果が、特定の周波数帯域にてピークが存在しない場合には無音と認識する請求項７記載の電話装置。
【手続補正２】
【補正対象書類名】明細書
【補正対象項目名】００１５
【補正方法】変更
【補正の内容】
【００１５】
【発明の実施の形態】
本発明の電話装置は、回線入力信号をＡ／Ｄ変換してデジタル回線入力信号を出力するＡ／Ｄコンバータと、前記Ａ／Ｄコンバータによってデジタルに変換された信号を周波数解析する周波数解析手段と、デジタルに変換された回線入力信号の種類を判定する中央処理部とを有することとしたものであり、中央処理部に入力される各回線対応信号に基づいて各回線入力信号の種類が判定され得るという作用を有する。
【手続補正３】
【補正対象書類名】明細書
【補正対象項目名】００１６
【補正方法】変更
【補正の内容】
【００１６】
さらに前記中央処理部は、回線入力信号の種類を回線対応信号の電圧変化値または周波数成分に基づいて判定することとしたものであり、ＣＰＣ信号、ベル信号、電話回線の使用状況を示す使用状況信号等の回線入力信号の種類を正確に判定されるという作用を有する。
【手続補正書】
【提出日】平成17年3月11日(2005.3.11)
【手続補正１】
【補正対象書類名】明細書
【補正対象項目名】請求項８
【補正方法】変更
【補正の内容】
【請求項８】
第１のアプリケーションが接続された他のデータ処理回路からデータ伝送路を介して受信したデータを、第２のアプリケーションに出力するデータ処理回路において、
前記データ伝送路からデータを受信し、当該受信したデータに重畳された前記第１のアプリケーションの動作周波数に応じた第１のクロック信号を再生する受信回路と、
記憶回路と、
前記受信したデータを、前記再生した第１のクロック信号を基準として前記記憶回路に書き込んだ後に、前記第２のアプリケーションの動作周波数に応じた第２のクロック信号を基準として読み出して前記第２のアプリケーションに出力する記憶制御回路と
を有するデータ処理回路。
【手続補正２】
【補正対象書類名】明細書
【補正対象項目名】００１１
【補正方法】変更
【補正の内容】
【００１１】
また、本発明の第２の観点のデータ処理回路は、第１のアプリケーションが接続された他のデータ処理回路からデータ伝送路を介して受信したデータを、第２のアプリケーションに出力するデータ処理回路であって、前記データ伝送路からデータを受信し、当該受信したデータに重畳された前記第１のアプリケーションの動作周波数に応じた第１のクロック信号を再生する受信回路と、記憶回路と、前記受信したデータを、前記再生した第１のクロック信号を基準として前記記憶回路に書き込んだ後に、前記第２のアプリケーションの動作周波数に応じた第２のクロック信号を基準として読み出して前記第２のアプリケーションに出力する記憶制御回路とを有する。
【手続補正３】
【補正対象書類名】明細書
【補正対象項目名】００２０
【補正方法】変更
【補正の内容】
【００２０】
また、オーディオシステム１は、例えば、ＣＤプレーヤ２で再生したデジタル・オーディオ信号ＤＡを、ＤＲＡＭ２２を介さずに、リンク・レイヤ回路９、フィジカル・レイヤ回路１０、ＩＥＥＥ１３９４シリアルバスＢＵＳ、フィジカル・レイヤ回路１１およびリンク・レイヤ回路１２を介して、ＭＤ装置３に送信してＭＤに記録する。
このとき、上述したＤＲＡＭ２２を介したリンク・レイヤ回路９からＤ／Ａコンバータ２３へのデジタル・オーディオ信号ＤＡの出力は、ＤＲＡＭ２２を介さないリンク・レイヤ回路９からフィジカル・レイヤ回路１０へのデジタル・オーディオ信号ＤＡの出力と並行して行ってもよいし、そうでなくてもよい。
【手続補正４】
【補正対象書類名】明細書
【補正対象項目名】００６１
【補正方法】変更
【補正の内容】
【００６１】
ＤＲＡＭ２２から読み出されたデジタル・オーディオ信号ＤＡは、セレクタ１１３からアプリケーションＩ／Ｆ回路１０３を介してＤ／Ａコンバータ２３に出力され、Ｄ／Ａコンバータ２３において、水晶発振回路２５からの基準クロック信号ＣＫ２ を基準としてデジタル・オーディオ信号ＤＡがアナログ・オーディオ信号ＡＡに変換された後に、スピーカ部２４に出力される。これにより、アナログ・オーディオ信号ＡＡに応じた音響がスピーカ部２４から出力される。
【手続補正５】
【補正対象書類名】図面
【補正対象項目名】図１
【補正方法】変更
【補正の内容】
【図１】
2000151720.tif 000001
【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
各放送受信装置に対して、センタから個別に制御情報が送信される放送システムにおいて、
前記個別制御情報を受信する通信時期を記憶する記憶装置と、
現在時刻をカウントする時計と、
前記現在時刻のカウントと前記記憶装置に記憶されている受信時期を比較する比較手段と、
前記個別制御情報を受信する個別制御情報受信手段とを備えた放送受信装置であって、
前記放送受信装置は、前記個別制御情報受信手段への電力の供給が制限された待機状態と、前記個別制御情報受信手段が機能するに十分な電力の供給が行われる通信可能状態とを持ち、前記比較手段において、前記個別制御情報を受信する時期であると判断された場合に、前記通信可能状態へ移行し、前記個別制御情報の受信を行うことを特徴とする放送受信装置。
【請求項２】
前記個別制御情報の受信は、放送信号または個別回線を介して行われ、不揮発性メモリからなる前記記憶装置に記憶されることを特徴とする請求項１に記載の放送受信装置。
【請求項３】
各放送受信装置の視聴記録がセンタに個別に送信される放送システムにおいて、
前記個別視聴記録を送信する通信時期を記憶する記憶装置と、
現在時刻をカウントする時計と、
前記現在時刻のカウントと前記記憶装置に記憶されている通信時期を比較する比較手段と、
前記個別視聴記録を送信する個別視聴記録送信手段とを備えた放送受信装置であって、
前記放送受信装置は、前記個別視聴記録送信手段への電力の供給が制限された待機状態と、前記個別視聴記録送信手段が機能するに十分な電力の供給が行われる通信可能状態とを持ち、前記比較手段において、前記個別視聴記録を送信する時期であると判断された場合に、前記通信可能状態へ移行し、前記個別視聴記録の送信を行うことを特徴とする放送受信装置。
【請求項４】
前記個別視聴記録は不揮発性メモリに記憶されており、前記センタへ個別回線を介して送信されることを特徴とする請求項３に記載の放送受信装置。
【請求項５】
時刻情報を含む放送チャンネルの受信情報を予め設定する設定手段を備え、主電源オン時に設定された受信情報から特定チャンネルを選局し、現在時刻を得ることを特徴とする請求項１又は請求項３に記載の放送受信装置。
【請求項６】
前記記憶装置は、時刻情報を含むチャンネルの中で、利用者が最後に視聴した受信情報を記憶し、主電源オン時に記憶された受信情報から特定チャンネルを選局し、現在時刻を得ることを特徴とする請求項１又は請求項３に記載の放送受信装置。
【請求項７】
主電源オン時に時刻情報を含む放送チャンネルをサーチ選局し、現在時刻を得ることを特徴とする請求項１又は請求項３に記載の放送受信装置。
【請求項８】
前記時計は、主電源オフ状態において、電池またはコンデンサで動作することを特徴とする請求項１又は請求項３に記載の放送受信装置。
【請求項９】
前記待機状態において、前記記憶装置に記憶された前記通信時期の参照を行い、前記通信時期の情報が有効であるかを判定する判定手段を備え 、有効ではない場合には前記通信可能状態に移行し、センタとの通信を行うことを特徴とする請求項１に記載の放送受信装置。
【手続補正２】
【補正対象書類名】明細書
【補正対象項目名】００１４
【補正方法】変更
【補正の内容】
【００１４】
【発明が解決しようとする課題】
従って、上記のように従来のシステムにおいて、有料放送サービスを受ける場合、契約情報を受信、または視聴したＰＰＶ番組を放送局に送るため、受信装置内の電源は利用者がサービスを受けていないときであってもオンにする必要があり、無駄な電力を消費してしまう問題があった。
【手続補正３】
【補正対象書類名】明細書
【補正対象項目名】００１５
【補正方法】変更
【補正の内容】
【００１５】
本発明は、上記問題点を解決し、利用者がサービスを受けていない時の消費電力を最小にし、かつ契約情報の受信、電話回線によるセンタ通信を行う受信装置を提供することを目的とする。
【手続補正４】
【補正対象書類名】明細書
【補正対象項目名】００１６
【補正方法】変更
【補正の内容】
【００１６】
【課題を解決するための手段】
上記目的を達成するため、本発明の基本的な特徴によれば、各放送受信装置に対して、センタから個別に制御情報が送信される放送システムにおいて、前記個別制御情報を受信する通信時期を記憶する記憶装置と、現在時刻をカウントする時計と、前記現在時刻のカウントと前記記憶手段に記憶されている受信時期を比較する比較手段と、前記個別制御情報を受信する個別制御情報受信手段とを備えた放送受信装置であって、前記放送受信装置は、前記個別制御情報受信手段への電力の供給が制限された待機状態と、前記個別制御情報受信手段が機能するに十分な電力の供給が行われる通信可能状態とを持ち、前記比較手段において、前記個別制御情報を受信する時期であると判断された場合に、前記通信可能状態へ移行し、前記個別制御情報の受信を行うことを特徴とする放送受信装置を提供する。
【手続補正５】
【補正対象書類名】明細書
【補正対象項目名】００２０
【補正方法】変更
【補正の内容】
【００２０】
更に、本発明の別の基本的な特徴によれば、各放送受信装置の視聴記録がセンタに個別に送信される放送システムにおいて、前記個別視聴記録を送信する通信時期を記憶する記憶装置と、現在時刻をカウントする時計と、前記現在時刻のカウントと前記記憶装置に記憶されている通信時期を比較する比較手段と、前記個別視聴記録を送信する個別視聴記録送信手段とを備えた放送受信装置であって、前記放送受信装置は、前記個別視聴記録送信手段への電力の供給が制限された待機状態と、前記個別視聴記録送信手段が機能するに十分な電力の供給が行われる通信可能状態とを持ち、前記比較手段において、前記個別視聴記録を送信する時期であると判断された場合に、前記通信可能状態へ移行し、前記個別視聴記録の送信を行うことを特徴とする放送受信装置を提供する。
【手続補正６】
【補正対象書類名】明細書
【補正対象項目名】００２４
【補正方法】変更
【補正の内容】
【００２４】
又、上記２つの基本的特徴を持った構成において、記憶装置は、時刻情報を含むチャンネルの中で、利用者が最後に視聴した受信情報を記憶し、主電源オン時に記憶された受信情報から特定チャンネルを選局し、現在時刻を得ることを特徴とする放送受信装置を提供する。
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正書】
【提出日】平成17年3月28日(2005.3.28)
【手続補正１】
【補正対象書類名】明細書
【補正対象項目名】特許請求の範囲
【補正方法】変更
【補正の内容】
【特許請求の範囲】
【請求項１】
放送される放送素材データを格納し、かつこの放送素材データを放送するために必要な放送進行スケジュールデータを制作するサーバ装置と、このサーバ装置で制作された前記放送進行スケジュールデータに基づいて、当該サーバ装置に格納された前記放送素材データを送出する機能を有する第１の送出装置と、この第１の送出装置に対する冗長系として機能する第２の送出装置と構えた放送素材データ送出システムにおいて、
前記第１及び第２の送出装置は、１つのサーバ装置にデータ伝送線路を介して接続されてなり、各々独立して前記放送素材データを送出する手段を有し、
前記サーバ装置は、前記第１及び第２の送出装置の状態を管理し、この状態に応じて格納した前記放送素材データ及び前記放送進行スケジュールデータを前記データ伝送線路を介して前記第１及び第２の送出装置に選択的に伝送する手段を有してなることを特徴とする放送素材データ送出システム。
【請求項２】
前記サーバ装置は、
前記放送素材データ及び制作した前記放送進行スケジュールデータを記憶したデータ記憶手段と、
前記第１の送出装置に対し通信制御プロトコルを実行するためのプログラムを記憶した第１のプロトコル記憶手段と、
前記第２の送出装置に対し通信制御プロトコルを実行するためのプログラムを記憶した第２のプロトコル記憶手段と、
前記第１及び第２のプロトコル記憶手段に記憶されたプログラムに基づいて、前記データ記憶手段に記憶された前記放送素材データ及び前記放送進行スケジュールデータを前記第１及び第２の送出装置ヘデータ伝送する伝送制御手段とを具備してなることを特徴とする請求項１記載の放送素材データ送出システム。
【請求項３】
さらに、前記サーバ装置は、前記第１及び第２の送出装置の状態を監視する監視手段と、
この監視手段で第１及び第２の送出装置のうちの一方に障害が検出された場合に、障害が発生した送出装置との間のデータ伝送線路を開放し、他方の送出装置に切り替えて、前記放送素材データ及び前記放送進行スケジュールデータを伝送するデータ伝送変更手段とを備えることを特徴とする請求項１記載の放送素材データ送出システム。
【請求項４】
前記データ伝送線路は、ローカルエリアネットワークであることを特徴とする請求項１記載の放送素材データ送出システム。
【請求項５】
前記放送素材データは、文字放送素材データであることを特徴する請求項１記載の放送素材データ送出システム。
【請求項６】
放送される放送素材データを格納し、かつこの放送素材データを放送するために必要な放送進行スケジュールデータを制作するサーバ装置と、このサーバ装置に対しデータ伝送線路を介して接続され、前記放送進行スケジュールデータに基づいて、当該サーバ装置に格納された前記放送素材データを送出する機能を有する送出装置とを具備する放送素材データ送出システムにおいて、
前記サーバ装置は、特定された期間内に放送される予定の全ての放送素材データ及び放送進行スケジュールデータを、データの記録再生を実行するための可搬メディアに一括して記録する手段を備え、
前記送出装置は、前記可搬メディアに記録された前記放送素材データ及び放送進行スケジュールデータを再生し、この再生した放送進行スケジュールデータに従って、前記放送素材データの送出を実行する手段を備えてなることを特徴とする放送素材データ送出システム。
【請求項７】
さらに、前記データ伝送線路上には、当該データ伝送線路の状態を監視する監視手段を設け、
この監視手段は、前記データ伝送線路の障害を検出した際に、この障害を検出した旨を前記サーバ装置に通知する手段を有し、
前記サーバ装置は、前記監視手段により障害を検出した旨が通知された場合に、特定された期間内に放送される予定の全ての放送素材データ及び放送進行スケジュールデータを前記可搬メディアに転送して記録する手段を有してなることを特徴とする請求項６記載の放送素材データ送出システム。
【請求項８】
前記データ伝送線路は、ローカルエリアネットワークであることを特徴とする請求項６記載の放送素材データ送出システム。
【請求項９】
前記放送素材データは、文字放送素材データであることを特徴する請求項６記載の放送素材データ送出システム。
【請求項１０】
放送される放送素材データと、この放送素材データを放送するために必要な放送進行スケジュールデータを格納するサーバ装置と、前記放送進行スケジュールデータに基づいて、前記放送素材データを送出する機能を有する第１の送出装置と、この第１の送出装置に対する冗長系として機能する第２の送出装置と構えた放送素材データ送出システムにおいて、
前記第１及び第２の送出装置は、前記サーバ装置にデータ伝送線路を介して接続されてなり、各々独立して前記放送素材データを送出する手段を有し、
前記サーバ装置は、前記第１及び第２の送出装置の状態を管理し、この状態に応じて格納した前記放送素材データ及び前記放送進行スケジュールデータを前記データ伝送線路を介して前記第１及び第２の送出装置に選択的に伝送する手段を有してなることを特徴とする放送素材データ送出システム。
【請求項１１】
放送される放送素材データと、この放送素材データを放送するために必要な放送進行スケジュールデータを格納するサーバ装置と、このサーバ装置に対しデータ伝送線路を介して接続され、前記放送進行スケジュールデータに基づいて、当該サーバ装置に格納された前記放送素材データを送出する機能を有する送出装置とを具備する放送素材データ送出システムにおいて、
前記サーバ装置は、特定された期間内に放送される予定の全ての放送素材データ及び放送進行スケジュールデータを、データの記録再生を実行するための可搬メディアに一括して記録する手段を備え、
前記送出装置は、前記可搬メディアに記録された前記放送素材データ及び放送進行スケジュールデータを再生し、この再生した放送進行スケジュールデータに従って、前記放送素材データの送出を実行する手段を備えてなることを特徴とする放送素材データ送出システム。
【手続補正書】
【提出日】平成17年11月2日(2005.11.2)
【手続補正１】
【補正対象書類名】明細書
【補正対象項目名】特許請求の範囲
【補正方法】変更
【補正の内容】
【特許請求の範囲】
【請求項１】  同期用シンボルを送信データに挿入する挿入手段と、前記同期用シンボルを適応的に前記送信データに挿入する制御を行なう制御手段と、を具備することを特徴とするＯＦＤＭ通信装置。
【請求項２】  通信相手の速度を測定する速度測定手段を具備し、前記制御手段は、前記速度測定手段で測定された通信相手の速度に基づいて前記同期用シンボルを適応的に前記送信データに挿入することを特徴とする請求項１記載のＯＦＤＭ通信装置。
【請求項３】  受信信号のレベルを検出するレベル検出手段を具備し、前記制御手段は、前記レベル検出手段で検出された受信信号のレベルに基づいて前記同期用シンボルを適応的に前記送信データに挿入することを特徴とする請求項１または請求項２記載のＯＦＤＭ通信装置。
【請求項４】  請求項１から請求項３のいずれかに記載のＯＦＤＭ通信装置を備えたことを特徴とする基地局装置。
【請求項５】  請求項１から請求項３のいずれかに記載のＯＦＤＭ通信装置を備えたことを特徴とする通信端末装置。
【請求項６】  同期用シンボルを送信データに挿入する工程と、前記同期用シンボルを適応的に前記送信データに挿入する制御を行なう工程と、を具備することを特徴とするＯＦＤＭ通信方法。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
【発明の実施の形態】
本発明のＯＦＤＭ通信装置は、同期用シンボルを送信データに挿入する挿入手段と、前記同期用シンボルを適応的に前記送信データに挿入する制御を行なう制御手段と、を具備する構成を採る。
【手続補正４】
【補正対象書類名】明細書
【補正対象項目名】０００９
【補正方法】変更
【補正の内容】
【０００９】
この構成によれば、通常規定シンボル毎に挿入されているパイロットシンボルを適応的に挿入するようにしている。このように、適応的に挿入されたパイロットシンボルに基づいて等化用歪み値や周波数オフセット補正値を更新する。したがって、伝送路環境が悪くなっても、通信パラメータに対してその環境に応じた修正を迅速に施すことができる。その結果、伝送路状態が変動しても、ＯＦＤＭ通信を安定して行なうことができる。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
本発明のＯＦＤＭ通信方法は、同期用シンボルを送信データに挿入する工程と、前記同期用シンボルを適応的に前記送信データに挿入する制御を行なう工程と、を具備するようにした。
【手続補正１２】
【補正対象書類名】明細書
【補正対象項目名】００１７
【補正方法】変更
【補正の内容】
【００１７】
この方法によれば、通常規定シンボル毎に挿入されているパイロットシンボルを適応的に挿入するようにしている。このように、適応的に挿入されたパイロットシンボルに基づいて等化用歪み値や周波数オフセット補正値を更新する。したがって、伝送路環境が悪くなっても、通信パラメータに対してその環境に応じた修正を迅速に施すことができる。その結果、伝送路状態が変動しても、ＯＦＤＭ通信を安定して行なうことができる。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正書】
【提出日】平成16年5月31日(2004.5.31)
【手続補正１】
【補正対象書類名】明細書
【補正対象項目名】請求項２
【補正方法】変更
【補正の内容】
【請求項２】
前記複数の素子はＭＯＳＦＥＴ、前記共通線はバス線、前記電流を放電する素子はＧＧＮＭＯＳであることを特徴とする請求項１記載の半導体集積回路。
【手続補正書】
【提出日】平成17年9月5日(2005.9.5)
【手続補正１】
【補正対象書類名】明細書
【補正対象項目名】発明の名称
【補正方法】変更
【補正の内容】
【発明の名称】通信装置、通信方法及び通信装置を搭載する自動車
【手続補正２】
【補正対象書類名】明細書
【補正対象項目名】特許請求の範囲
【補正方法】変更
【補正の内容】
【特許請求の範囲】
【請求項１】  車輌に搭載された複数の電子機器間の情報信号を相互に多重通信する通信装置であって、車輌内の第１の位置に設けられた第１送受信手段と、
車輌内の第２の位置に設けられた第２送受信手段を有し、
前記第１送受信手段と、前記第２送受信手段との間で前記情報信号の通信を行うための制御信号と、前記情報信号とが一体化されて通信される
ことを特徴とする通信装置。
【請求項２】  前記第１送受信手段及び前記第２送受信手段は、それぞれ
前記複数の電子機器の各情報信号を一体化して一体化情報とするための一体化手段と、
前記一体化情報を送受信するための通信手段と、
受信した前記一体化情報を、各電子機器毎の前記情報信号と前記制御信号に分割する分割手段とを備える
ことを特徴とする請求項１に記載の通信装置。
【請求項３】  前記電子機器毎の情報信号は、互いに同期されている
ことを特徴とする請求項２に記載の通信装置。
【請求項４】  前記第１送受信手段と前記第２送受信手段との間では、無線通信を利用して通信が行われる
ことを特徴とする請求項１に記載の通信装置。
【請求項５】  前記第１送受信手段と前記第２送受信手段との間では、少なくとも１本の信号線による光通信が行われる
ことを特徴とする請求項１に記載の通信装置。
【請求項６】  前記信号線は、光ファイバーである
ことを特徴とする請求項５に記載の通信装置。
【請求項７】  前記第1の位置はダッシュボード部であり、前記第２の位置はトランクルーム部である
ことを特徴とする請求項１に記載の通信装置。
【請求項８】  車輌に搭載された複数の電子機器間の情報信号を相互に多重通信する通信方法であって、車輌内の第1の位置に設けられた第1送受信手段と、車輌内の第２の位置に設けられた第２送受信手段との間で通信を行う通信方法において、
前記第１送受信手段と、前記第２送受信手段との間で前記情報信号の通信を行うための制御信号と、前記情報信号とが一体化されて通信される
ことを特徴とする通信方法。
【請求項９】  車輌に搭載された複数の電子機器間の情報信号を相互に多重通信する通信装置を搭載した自動車であって、車輌内の第1の位置に設けられた第1の送受信手段と、
車輌内の第２の位置に設けられた第２の送受信手段を有し、
前記第１送受信手段と、前記第２送受信手段との間で前記情報信号の通信を行うための制御信号と、前記情報信号とが一体化されて通信される通信装置を備えた
ことを特徴とする自動車。
【手続補正３】
【補正対象書類名】明細書
【補正対象項目名】０００１
【補正方法】変更
【補正の内容】
【０００１】
【発明が属する技術分野】
本発明は、情報を多重通信する通信装置、通信方法及び通信装置を搭載する自動車に関するものである。
【手続補正書】
【提出日】平成16年9月15日(2004.9.15)
【手続補正１】
【補正対象書類名】明細書
【補正対象項目名】００４０
【補正方法】変更
【補正の内容】
【００４０】
上述した様に、図１の構成において、６ｄＢブランチライン形方向性結合器７の第１の端子対のインピーダンスＺ７を、Ｚ０／Ｋ2となる様に選ぶことにより、６ｄＢブランチライン形方向性結合器７を構成するマイクロストリップ線路３，４のインピーダンスＺ１を、従来のＺ０に比べて、１／Ｋ倍のインピーダンスに下げることができる。従って、マイクロストリップ線路３，４のストリップ線路幅を太くすることが出来るので、損失を低減できる。又、同様の理由により、分配数が従来に比べてより多い電力分配器を構成することが出来る。
【手続補正２】
【補正対象書類名】図面
【補正対象項目名】図５
【補正方法】変更
【補正の内容】
【図５】
2000151226.tif 000001
【手続補正書】
【提出日】平成17年1月11日(2005.1.11)
【手続補正１】
【補正対象書類名】明細書
【補正対象項目名】請求項１
【補正方法】変更
【補正の内容】
【請求項１】
記録画像が記録された読取原稿を照明する照明光源と、
前記読取原稿を２次元的に読み取る２次元画像読取手段と、
前記読取原稿がセットされる原稿セット部と前記照明光源が着脱可能にセットされる光源セット部と２次元画像読取手段が着脱可能にセットされる読取手段セット部とを備えた画像読取装置本体と
を有し、前記２次元画像読取手段は前記読取手段セット部から取り外されてデジタルカメラとして使用され、前記照明光源は前記光源セット部から取り外されて前記２次元画像読取手段の被写体照明用光源に使用することが可能であることを特徴とする画像読取装置。
【手続補正２】
【補正対象書類名】明細書
【補正対象項目名】０００６
【補正方法】変更
【補正の内容】
【０００６】
【課題を解決するための手段】
この目的を達成するために請求項１に記載の画像読取装置は、
記録画像が記録された読取原稿を照明する照明光源と、
前記読取原稿を２次元的に読み取る２次元画像読取手段と、
前記読取原稿がセットされる原稿セット部と前記照明光源が着脱可能にセットされる光源セット部と２次元画像読取手段が着脱可能にセットされる読取手段セット部とを備えた画像読取装置本体と
を有し、前記２次元画像読取手段は前記読取手段セット部から取り外されてデジタルカメラとして使用され、前記照明光源は前記光源セット部から取り外されて前記２次元画像読取手段の被写体照明用光源に使用することが可能であることを特徴とする。
【手続補正３】
【補正対象書類名】明細書
【補正対象項目名】００１０
【補正方法】変更
【補正の内容】
【００１０】
【発明の実施の形態】
図１に示すように、本発明に係る画像読取装置１の画像読取装置本体２には、記録画像が記録された読取原稿３をセットする原稿セット部４、読取原稿３を照明する照明光源５がセットされる光源セット部６、セットされた照明光源５を取り出すための照明光源取り出しボタン７、照明された読取原稿３を２次元的に読み取る２次元画像読取手段８がセットされる読取手段セット部９、画像読取装置１の操作を行うための操作部１２が設けられている。
【手続補正４】
【補正対象書類名】明細書
【補正対象項目名】００１９
【補正方法】変更
【補正の内容】
【００１９】
システム制御部２４は、画像読取装置１の操作を行う操作部１２、画像読取装置本体２の読取手段セット部９にセットされたデジタルカメラ８の制御を行うインターフェース回路２３、原稿セット部４にセットされたフィルム３の搬送制御を行う原稿移送機構駆動回路２５、ストロボ光源５の発光を制御する照明光源制御回路２６と接続され、フィルム３に記録された画像の読み取り、フィルム３の移動、照明光源５の発光等の制御を行う。
【手続補正５】
【補正対象書類名】明細書
【補正対象項目名】００２９
【補正方法】変更
【補正の内容】
【００２９】
このシステム制御部２４の制御は、システム制御部２４に接続された操作部１２により行われ、この操作部１２のみで、フィルム３に記録された画像の読み取り、フィルム３の移動、ストロボ光源５の発光等すべての操作を行うことが可能となる。
【手続補正６】
【補正対象書類名】明細書
【補正対象項目名】図面の簡単な説明
【補正方法】変更
【補正の内容】
【図面の簡単な説明】
【図１】
本発明に係る画像読取装置と画像読取装置本体にセットされるデジタルカメラ、ストロボ光源、フィルムを示した斜視図である。
【図２】
本発明に係るストロボ光源とストロボ光源が係合する接点金具とを示した斜視図である。
【図３】
画像読取装置に装填されたストロボ光源を取り出すための取り出し機構を示した図である。
【図４】
本発明に係る照明光源及び照明部を示した斜視図である。
【図５】
本発明に係る画像読取装置の各制御回路を示しているブロック図である。
【図６】
本発明に係る照明光源制御回路を示すブロック図である。
【図７】
本発明に係るデジタルカメラ及びストロボ光源を示した斜視図である。
【符号の説明】
１    画像読取装置
２    画像読取装置本体
３    読取原稿（フィルム）
５    照明光源（ストロボ光源）
８    ２次元画像読取手段（デジタルカメラ）
２３  インターフェース回路
２４  システム制御部
【手続補正７】
【補正対象書類名】図面
【補正対象項目名】図１
【補正方法】変更
【補正の内容】
【図１】
2000151877.tif 000001
【手続補正８】
【補正対象書類名】図面
【補正対象項目名】図４
【補正方法】変更
【補正の内容】
【図４】
2000151877.tif 000002
【手続補正９】
【補正対象書類名】図面
【補正対象項目名】図５
【補正方法】変更
【補正の内容】
【図５】
2000151877.tif 000003
【手続補正１０】
【補正対象書類名】図面
【補正対象項目名】図７
【補正方法】変更
【補正の内容】
【図７】
2000151877.tif 000004
【手続補正書】
【提出日】平成17年10月18日(2005.10.18)
【手続補正１】
【補正対象書類名】明細書
【補正対象項目名】特許請求の範囲
【補正方法】変更
【補正の内容】
【特許請求の範囲】
【請求項１】
音声入出力手段と、
画像入力手段と、
画像表示手段と、
画像及び音声を記録媒体に記録する記録手段と、
当該画像入力手段により入力される画像及び当該音声入出力手段により入力される音声を通信相手に送信し、当該通信相手から送信される画像及び音声を受信する送受信手段と、
当該記録手段により音声を当該記録媒体に記録しているときに着信があると、着信音を発生せずに当該画像表示手段に着信を示す所定情報を表示する制御手段
とからなることを特徴とする通信装置。
【請求項２】
音声入出力手段と、
画像入力手段と、
画像表示手段と、
画像及び音声を記録媒体に記録する記録手段と、
当該画像入力手段により入力される画像及び当該音声入出力手段により入力される音声を通信相手に送信し、当該通信相手から送信される画像及び音声を受信する送受信手段
とを具備する通信装置を制御する方法であって、
当該記録手段により音声を当該記録媒体に記録しているときに着信があると、着信音を発生せずに当該画像表示手段に着信を示す所定情報を表示することを特徴とする制御方法。
【手続補正書】
【提出日】平成17年11月2日(2005.11.2)
【手続補正１】
【補正対象書類名】明細書
【補正対象項目名】００２２
【補正方法】変更
【補正の内容】
【００２２】
図１の（Ａ）において、はんだを含むはんだペースト２４をプリント回路基板１０の第１の電極１２に印刷する。すなわち、第１の電極１２に対応する開口部２６ａを有するマスク２６をプリント回路基板１０の上に配置し、はんだペースト２４をマスク２６の上にのせ、スキージ２８をマスク２６の表面に沿って滑らせ、はんだペースト２４をマスク２６の開口部２６ａに充填する。マスク２６をプリント回路基板１０から取り外すと、はんだペースト２４がプリント回路基板１０の第１の電極１２の上に印刷される。
【手続補正２】
【補正対象書類名】明細書
【補正対象項目名】００２３
【補正方法】変更
【補正の内容】
【００２３】
図１の（Ｂ）において、ＱＦＰ１６をプリント回路基板１０に搭載する。この場合、ＱＦＰ１６のリードピン１８がプリント回路基板１０の第１の電極１２の上のはんだペースト２４の上に載るようにＱＦＰ１６をプリント回路基板１０に対して位置合わせし、ＱＦＰ１６のリードピン１８をはんだペースト２４ａによってタッキングし、赤外線ランプ３０を照射することによってはんだペースト２４ａをリフローする。すると、ＱＦＰ１６のリードピン１８ははんだペースト２４に含まれるはんだ２４ａによってプリント回路基板１０の第１の電極１２に接続される。なお、図には１つのＱＦＰ１６のみが示されているが、リードピン１８と同様のリードピンを有するその他のＱＦＰ及び表面実装部品をＱＦＰ１６と同時にプリント回路基板１０に搭載することができる。
【手続補正３】
【補正対象書類名】図面
【補正対象項目名】図７
【補正方法】変更
【補正の内容】
【図７】
2000151086.tif 000001
【手続補正書】
【提出日】平成17年7月29日(2005.7.29)
【手続補正１】
【補正対象書類名】明細書
【補正対象項目名】発明の名称
【補正方法】変更
【補正の内容】
【発明の名称】プリント配線板の製造方法及び電子部品の製造方法
【手続補正２】
【補正対象書類名】明細書
【補正対象項目名】特許請求の範囲
【補正方法】変更
【補正の内容】
【特許請求の範囲】
【請求項１】
回路基板を構成するコア材に、プレス抜き加工で貫通孔を穿設する工程と、プラスチックを主材とするプリプレグ材を介して該コアの一方の面に回路形成用の銅箔を圧接して、前記貫通孔の一方の開口部を閉鎖すると共に該開口部から前記貫通孔に前記プリプレグ材を充填する工程と、他方の開口部より露出するプリプレグ材にレーザー光を照射してバイアホールを穿設する工程と、前記コア材に圧接した銅箔をエッチングして回路を形成する工程と、を順次行なうことを特徴とするプリント配線板の製造方法。
【請求項２】
前記プリプレグ材の充填範囲は、少なくとも圧接された銅箔表面を完全に被覆することを特徴とする請求項１に記載のプリント配線板の製造方法。
【請求項３】
回路基板を構成するコア材に、プレス抜き加工で貫通孔を穿設する工程と、プラスチックを主材とするプリプレグ材を介して該コアの一方の面に回路形成用の銅箔を圧接して、前記貫通孔の一方の開口部を閉鎖すると共に該開口部から前記貫通孔に前記プリプレグ材を充填する工程と、他方の開口部より露出するプリプレグ材にレーザー光を照射してバイアホールを穿設する工程と、前記コア材に圧接した銅箔をエッチングして回路を形成する工程と、前記バイアホール内に水晶振動子のステムを収納し該ステムを前記回路に半田接続する工程とよりなること特徴とする電子部品の製造方法。
【請求項４】
回路基板を構成するコア材に、プレス抜き加工で貫通孔を穿設する工程と、プラスチックを主材とするプリプレグ材を介して該コアの一方の面に回路形成用の銅箔を圧接して、前記貫通孔の一方の開口部を閉鎖すると共に該開口部から前記貫通孔に前記プリプレグ材を充填する工程と、他方の開口部より露出するプリプレグ材にレーザー光を照射してバイアホールを穿設する工程と、前記コア材に圧接した銅箔をエッチングして回路を形成する工程と、前記バイアホール内に半田を埋設して外部接続端子を形成する工程と、前記回路の他方の面にＩＣチップを半田バンプにて接合する工程とよりなることを特徴とする電子部品の製造方法。
【手続補正３】
【補正対象書類名】明細書
【補正対象項目名】０００５
【補正方法】変更
【補正の内容】
【０００５】
【課題を解決するための手段】
上記目的を達成する為、請求項１記載の構成は、回路基板を構成するコア材に、プレス抜き加工で貫通孔を穿設する工程と、プラスチックを主材とするプリプレグ材を介して該コアの一方の面に回路形成用の銅箔を圧接して、前記貫通孔の一方の開口部を閉鎖すると共に該開口部から前記貫通孔に前記プリプレグ材を充填する工程と、他方の開口部より露出するプリプレグ材にレーザー光を照射してバイアホールを穿設する工程と、前記コア材に圧接した銅箔をエッチングして回路を形成する工程と、を順次行なうことを特徴とする。また請求項２記載の構成は、請求項１記載の構成において、前記プリプレグ材の充填範囲は、少なくとも圧接された銅箔表面を完全に被覆することを特徴とする。
【手続補正４】
【補正対象書類名】明細書
【補正対象項目名】０００６
【補正方法】変更
【補正の内容】
【０００６】
本発明の請求項３の構成は、コア材にプリプレグ材と銅箔を圧接後プリプレグ材にバイアホールを穿設し、銅箔をエッチングして回路を形成した回路基板の前記バイアホール内に水晶振動子のステムを収納し前記回路に該ステムを半田接続して形成した電子部品の製造方法を特徴とするものであり、また本発明の請求項４の構成は、コア材にプリプレグ材と銅箔を圧接後プリプレグ材にバイアホールを穿設し、銅箔をエッチングして回路を形成した回路基板の前記バイアホール内に半田を埋設して外部接続端子を形成する工程と、前記回路の他方の面にＩＣチップを半田バンプにて接合して形成した電子部品の製造方法を特徴とするものである。
【手続補正５】
【補正対象書類名】明細書
【補正対象項目名】００１１
【補正方法】変更
【補正の内容】
【００１１】
図２（ａ）に於いて、水晶振動子２１は本発明の実施の形態におけるプリント配線板３１に搭載され、該水晶振動子の外部接続端子（ステム）２２回路２３１に接続する銅箔２３０に達するバイアホール２５１を経由して、前記バイアホール端部の該銅箔２３０に半田接続２３される。次に、上記プリント配線板上面に搭載された該水晶振動子が、トランスファーモールドの技法で樹脂封止２６０されて、表面形状に優れて信頼性がある水晶振動子の表面実装品２０が完成する。
【手続補正書】
【提出日】平成16年2月3日(2004.2.3)
【手続補正１】
【補正対象書類名】明細書
【補正対象項目名】特許請求の範囲
【補正方法】変更
【補正の内容】
【特許請求の範囲】
【請求項１】
家庭内に中央制御装置および各種機器・設備が設けられ、前記中央制御装置と前記各種機器・設備との間に伝送路が形成され、かつ前記中央制御装置が家庭外ネットワークに電話回線を介して接続された家庭内情報通信ネットワークシステムにおいて、
前記中央制御装置と前記各種機器・設備との間に中継変換器が設けられ、
前記中央制御装置と前記中継変換器間は有線によって、前記各種機器・設備と前記中継変換器間は電波によってそれぞれ情報信号が伝送され、
かつ前記情報信号に、前記各種機器・設備を弁別または仕分けするための固有の機器コードと、各家庭を弁別または仕分けするための家庭コードとが付加されて、前記各種機器・設備と前記家庭外ネットワークとの間で双方向通信が行われることを特徴とする家庭内情報通信ネットワークシステム。
【請求項２】
家庭内に中央制御装置および各種機器・設備が設けられ、前記中央制御装置と前記各種機器・設備との間に伝送路が形成され、かつ前記中央制御装置が家庭外ネットワークに電話回線を介して接続された家庭内情報通信ネットワークシステムにおいて、
前記中央制御装置と前記各種機器・設備との間は電波によって情報信号が伝送され、
かつ前記情報信号に、前記各種機器・設備を弁別または仕分けするための固有の機器コードと、各家庭を弁別または仕分けするための家庭コードとが付加されて、前記各種機器・設備と前記家庭外ネットワーク間で双方向通信が行われることを特徴とする家庭内情報通信ネットワークシステム。
【請求項３】
請求項１又は２に記載の家庭内情報通信ネットワークシステムにおいて、
前記家庭コードとしては、電話番号や銀行口座番号など既存の識別番号が用いられることを特徴とする家庭内情報通信ネットワークシステム。
【手続補正２】
【補正対象書類名】明細書
【補正対象項目名】００２８
【補正方法】変更
【補正の内容】
【００２８】
まず、本発明では、家庭内に設置されている各種機器・設備を特定する工夫として、制御などに必要な信号を含む情報信号に、対象となる全ての各種機器・設備に個別の機器コードを付加し、さらに、家庭外との情報通信ネットワークを形成する際に、対象とすべき最小システムの構成単位となる家庭を特定する家庭（個別）コードを付加させることによって、家庭内情報通信ネットワークの制御の中枢となるパーソナルコンピュータ（中央制御装置）で制御しやすい情報信号に変換する方法を採っている。また、これを具現化させる手段として、家庭内に設置されている各種機器・設備とパーソナルコンピュータとの情報信号の伝送路の間に、各種機器・設備に対する入出力信号の弁別や仕分けを行う中継変換器を介在させることによって、パーソナルコンピュータでの情報信号の制御の負担を軽減させることを図っている。


【手続補正３】
【補正対象書類名】明細書
【補正対象項目名】００３０
【補正方法】変更
【補正の内容】
【００３０】
すなわち、本発明は、家庭内にパーソナルコンピュータ（中央制御装置）および各種機器・設備が設けられ、前記パーソナルコンピュータと前記各種機器・設備との間に伝送路が形成され、かつ前記パーソナルコンピュータが家庭外ネットワークに電話回線を介して接続された家庭内情報通信ネットワークシステムにおいて、前記パーソナルコンピュータと前記各種機器・設備との間に中継変換器が設けられ、前記パーソナルコンピュータと前記中継変換器間は有線によって、前記各種機器・設備と前記中継変換器間は電波によってそれぞれ情報信号が伝送され、かつ前記情報信号に、前記各種機器・設備を弁別または仕分けするための固有の機器コードと、各家庭を弁別または仕分けするための家庭コードとが付加されて、前記各種機器・設備と前記家庭外ネットワークとの間で双方向通信が行われることを特徴としている。


【手続補正４】
【補正対象書類名】明細書
【補正対象項目名】００３２
【補正方法】変更
【補正の内容】
【００３２】
すなわち、本発明は、家庭内にパーソナルコンピュータ（中央制御装置）および各種機器・設備が設けられ、前記パーソナルコンピュータと前記各種機器・設備との間に伝送路が形成され、かつ前記パーソナルコンピュータが家庭外ネットワークに電話回線を介して接続された家庭内情報通信ネットワークシステムにおいて、前記パーソナルコンピュータと前記各種機器・設備との間は電波によって情報信号が伝送され、かつ前記情報信号に、前記各種機器・設備を弁別または仕分けするための固有の機器コードと、各家庭を弁別または仕分けするための家庭コードとが付加されて、前記各種機器・設備と前記家庭外ネットワーク間で双方向通信が行われることを特徴としている。なお、前記家庭コードとしては、電話番号や銀行口座番号など既存の識別番号が用いられる。
【手続補正書】
【提出日】平成16年6月7日(2004.6.7)
【手続補正１】
【補正対象書類名】明細書
【補正対象項目名】発明の名称
【補正方法】変更
【補正の内容】
【発明の名称】弾球遊技機用コーン型スピーカユニットの取付け構造
【手続補正２】
【補正対象書類名】明細書
【補正対象項目名】特許請求の範囲
【補正方法】変更
【補正の内容】
【特許請求の範囲】
【請求項１】
コーン型スピーカユニットを内蔵し、コーン前面から出る効果音を音響通路を通じて音響発生口に導くようにした弾球遊技機の同スピーカユニットの取付け構造において、同スピーカユニットを前壁に装着し、同前壁と後壁との間の空間を中間壁にて包囲して同空間を外部と区画し、同スピーカユニットから後方に向かって発生する逆相の音波を遮断するようにしたことを特徴とする弾球遊技機用コーン型スピーカユニットの取付け構造。
【請求項２】
コーン型スピーカユニットを内蔵し、コーン前面から出る効果音を音響通路を通じて音響発生口に導くようにした弾球遊技機の同スピーカユニットの取付け構造において、同スピーカユニットを前壁に装着し、同前壁と後壁との間の空間を中間壁にて包囲して同空間を外部と区画するとともに、同スピーカユニットから後方に向かって発生する逆相の音波を同空間内にて共鳴させ同スピーカユニットとは別位置に形成した開口部から出るようにしたことを特徴とする弾球遊技機用コーン型スピーカユニットの取付け構造。
【手続補正３】
【補正対象書類名】明細書
【補正対象項目名】０００４
【補正方法】変更
【補正の内容】
【０００４】
【課題を解決するための手段】
上記の目的を達成するために、請求項１に記載の発明では、コーン型スピーカユニットを内蔵し、コーン前面から出る効果音を音響通路を通じて音響発生口に導くようにした弾球遊技機の同スピーカユニットの取付け構造において、同スピーカユニットを前壁に装着し、同前壁と後壁との間の空間を中間壁にて包囲して同空間を外部と区画し、同スピーカユニットから後方に向かって発生する逆相の音波を遮断するようにしたことをその要旨とする。
このように構成すると、コーン型スピーカユニットのコーンの裏面側に出た逆相の低音は前壁側に回り込むことができず、正相の低音と打ち消し合うことがない。
【手続補正４】
【補正対象書類名】明細書
【補正対象項目名】０００５
【補正方法】変更
【補正の内容】
【０００５】
請求項２に記載の発明では、コーン型スピーカユニットを内蔵し、コーン前面から出る効果音を音響通路を通じて音響発生口に導くようにした弾球遊技機の同スピーカユニットの取付け構造において、同スピーカユニットを前壁に装着し、同前壁と後壁との間の空間を中間壁にて包囲して同空間を外部と区画するとともに、同スピーカユニットから後方に向かって発生する逆相の音波を同空間内にて共鳴させ同スピーカユニットとは別位置に形成した開口部から出るようにしたことをその要旨とする。
このように構成すると、コーン型スピーカユニットのコーンの裏面側に出た逆相の低音は前壁側に回り込むことができず、正相の低音と打ち消し合うことがなく、更に空間内で共鳴しながら誘導されて別位置から出る。そのため正相の音に更に強化された共鳴音が加わる。